(57)【要約】      （修正有）【課題】おもり総重量の低下をきたさずに、安全性や取り扱い易さを考慮した形状のおもりを積載できるようにする。【解決手段】ガイドレールに案内される枠に、乗りかごの重量にバランスする重量のおもり２０を複数個積載してなるエレベータの釣り合いおもりにおいて、前記おもり２０は、鉄枠２１にコンクリート２２を充填して固めたおもり２０からなり、前記鉄枠２１に、取手となりうる凹部２４を形成した。さらに、前記おもりは、１個の横長のおもりを３個以上に分割したブロックからなり、各ブロックが凹凸で嵌合し合って１個のおもりをなすようにした。さらに、前記枠を構成する左右の縦枠の中間に中間縦枠を設け、横長のおもりを半分にしたおもりを２列並列に積み上げ可能にした。さらに、前記おもりに人力では取り扱えない重量を有するおもりを用い、数個の該おもりを横方向または上下方向に配列して前記枠に積載した。【選択図】図２
2011037582.tif 000002
【特許請求の範囲】
【請求項１】
ガイドレールに案内される枠に、乗りかごの重量にバランスする重量のおもりを複数個積載してなるエレベータの釣り合いおもりにおいて、
前記おもりは、鉄枠にコンクリートを充填して固めたおもりからなり、前記鉄枠に、取手となりうる凹部を形成したことを特徴とするエレベータの釣り合いおもり。
【請求項２】
ガイドレールに案内される枠に、乗りかごの重量にバランスする重量のおもりを複数個積載してなるエレベータの釣り合いおもりにおいて、
前記おもりは、１個の横長のおもりを３個以上に分割したブロックからなり、各ブロックが凹凸で嵌合し合って１個のおもりをなすことを特徴とするエレベータの釣り合いおもり。
【請求項３】
前記各ブロックには、取手が着脱可能または一体的に設けられたことを特徴とする請求項２に記載のエレベータの釣り合いおもり。
【請求項４】
ガイドレールに案内される枠に、乗りかごの重量にバランスする重量のおもりを複数個積載してなるエレベータの釣り合いおもりにおいて、
前記枠を構成する左右の縦枠の中間に中間縦枠を設け、横長のおもりを半分にしたおもりを２列並列に積み上げ可能にしたことを特徴とするエレベータの釣り合いおもり。
【請求項５】
ガイドレールに案内される枠に、乗りかごの重量にバランスする重量のおもりを複数個積載してなるエレベータの釣り合いおもりにおいて、
前記おもりに人力では取り扱えない重量を有するおもりを用い、数個の該おもりを横方向または上下方向に配列して前記枠に積載したことを特徴とするエレベータの釣り合いおもり。
【発明の詳細な説明】
【技術分野】
【０００１】
本発明は、エレベータの釣り合いおもりに係り、特に、おもりを安全に積載できるようにしたエレベータの釣り合いおもりに関する。
【背景技術】
【０００２】
エレベータでは、乗りかごの重量に釣り合いおもりをバランスさせることにより、巻上機の負荷を軽減させている。従来の釣り合いおもりは、必要な数のおもりを釣り合いおもり枠に搭載することで、乗りかごの重量とバランスさせている。
【０００３】
そこで、図１１に、従来の釣り合いおもりの例として、特許文献１に記載されているものを示す。
【０００４】
この釣り合いおもりは、ガイドレールに沿うように設けられる一対の枠体１と、枠体１に両端が保持される複数のウェイト２と、これらのウェイト２を貫通するように設けられる通しボルト３と、これらの通しボルト３と主ウェイト２とを一体に固定するナット４とを備えている。なお、５は吊りロープを示し、６は、ガイドレールを摺動するガイドシューを示している。  
このような釣り合い重りで用いられるウェイト２は、必要な数だけ枠体１に積み上げるようにして積載している。
【先行技術文献】
【特許文献】
【０００５】
【特許文献１】特開２０００−３１３５７９号公報
【発明の概要】
【発明が解決しようとする課題】
【０００６】
一般に、釣り合いおもりに用いられるウェイトとしては、１個の重量が１０〜４０ｋｇの鋳物または鉄板が用いられている。乗りかごの重量にバランスさせるためには、一台あたり数十個が必要となる。
【０００７】
このようなウェイトの積載は、作業員が手で持ち上げて積載しているため、ウェイトの角部で指を挟むおそれがある。このため、安全性の面から、ウェイトの形状を変更することが考えられる。
【０００８】
しかし、ウェイトの形状を変更すると、釣り合い重りの枠に積み込めるスペースが限られているため、必要な重量を確保できないという問題が生じる。
【０００９】
そこで、本発明の目的は、前記従来技術の有する問題点を解消し、おもり総重量の低下をきたさずに、安全性や取り扱い易さを考慮した形状のおもりを積載できるようにしたエレベータの釣り合いおもりを提供することにある。
【課題を解決するための手段】
【００１０】
前記の目的を達成するために、第１の発明は、ガイドレールに案内される枠に、乗りかごの重量にバランスする重量のおもりを複数個積載してなるエレベータの釣り合いおもりにおいて、前記おもりは、鉄枠にコンクリートを充填して固めたおもりからなり、前記鉄枠に、取手となりうる凹部を形成したことを特徴とするものである。
【００１１】
また、第２の発明は、ガイドレールに案内される枠に、乗りかごの重量にバランスする重量のおもりを複数個積載してなるエレベータの釣り合いおもりにおいて、前記おもりは、１個の横長のおもりを３個以上に分割したブロックからなり、各ブロックが凹凸で嵌合し合って１個のおもりをなすことを特徴とするものである。
【００１２】
さらに、第３の発明は、ガイドレールに案内される枠に、乗りかごの重量にバランスする重量のおもりを複数個積載してなるエレベータの釣り合いおもりにおいて、前記枠を構成する左右の縦枠の中間に中間縦枠を設け、横長のおもりを半分にしたおもりを２列並列に積み上げ可能にしたことを特徴とするものである。
【００１３】
さらに、第４の発明は、ガイドレールに案内される枠に、乗りかごの重量にバランスする重量のおもりを複数個積載してなるエレベータの釣り合いおもりにおいて、前記おもりに人力では取り扱えない重量を有するおもりを用い、数個の該おもりを横方向または上下方向に配列して前記枠に積載したことを特徴とするものである。
【発明の効果】
【００１４】
本発明によれば、おもり総重量の低下をきたさずに、積み込み作業の安全性や取り扱い性を考慮した形状に変更し、安全におもりを積載することができる。
【図面の簡単な説明】
【００１５】
【図１】本発明の第１実施形態によるエレベータの釣り合いおもりの正面図である。
【図２】図１の釣り合いおもりに用いるおもりを示す斜視図である。
【図３】おもりの他の実施例を示す斜視図である。
【図４】おもりの他の実施例を示す平面図である。
【図５】本発明の第２実施形態によるエレベータの釣り合いおもりの正面図である。
【図６】図５の同釣り合いおもりに用いるおもりを示す側面図である。
【図７】おもりの一つのブロックに取り付ける取手を示す断面図である。
【図８】本発明の第３実施形態によるエレベータの釣り合いおもりの正面図である。
【図９】本発明の第４実施形態によるエレベータの釣り合いおもりの正面図である。
【図１０】本発明の第４実施形態によるエレベータの釣り合いおもりの他の例を示す正面図である。
【図１１】従来の釣り合いおもりを示す正面図である。
【発明を実施するための形態】
【００１６】
以下、本発明によるエレベータの釣り合いおもりの一実施形態について、添付の図面を参照しながら説明する。  
第１実施形態  
図１は、本発明の第１実施形態によるエレベータの釣り合いおもりを示す。  
この図１において、参照番号１０は、釣り合いおもりの全体を示している。図１において、参照番号１１ａ、１１ｂは、釣り合いおもり１０の昇降を案内するガイドレールを示している。参照番号１２は、吊りロープを示している。釣り合いおもり１０は、おもりを積むための枠として、上枠１４、下枠１５、縦枠１６、１７を四方組みしてなる枠から構成されている。
【００１７】
上枠１４には、吊りロープ１２の端末が固定金具１３を介して止着されている。この上枠１４の両端には、ガイドレール１１ａ、１１ｂに摺動自在に嵌合するガイドシュー１８ａ、１８ｂが取り付けられている。
【００１８】
下枠１５は、積み重ねるようにして積載されるおもり２０を支持するとともに、下枠１５の両端には、ガイドレール１１ａ、１１ｂに摺動自在に嵌合するガイドシュー１９ａ、１９ｂが取り付けられている。
【００１９】
ここで、図２は、本実施形態の釣り合いおもりで用いられるおもり２０を示す。このおもり２０は、有底の細長い箱状の鉄枠２１にコンクリート２２を充填して固めた横長のおもりである。おもり２０の両端部には、断面コ字形の縦枠１６、１７にそれぞれ嵌合する凸部２３ａ、２３ｂが形成されている。
【００２０】
このおもり２０では、好適には、鉄枠２１の長手方向の両側面において、下側の角部に段をつけるために長手方向に凹部２４が形成されている。この実施形態では、この凹部２４は指を入れておもり２０を把持し易くするだけの幅と深さを有している。
【００２１】
以上のように構成される釣り合いおもり１０によれば、釣り合いおもり１０におもり２０を積み込むにあたって、作業員は鉄枠２１の角部を持つときに、凹部２４に指を入れておもり２０を把持できるため、持ちやすいだけでなく、おもり２０を降ろして重ねるときに、鉄枠２１の角で指を挟むのを回避することができる。
【００２２】
このように安全を考慮した形状にしても、鉄枠２１とコンクリート２２が一体であるため、おもり総重量を低減させずに形状変更を行うことができる。
【００２３】
次に、図３は、おもりの他の実施例を示す。  
この図３に示すおもり３０では、凹部３１は鉄枠２１の底面に幅方向に横切るように形成されている。
【００２４】
図４は、さらにおもりの他の実施例を示す。  
この図４に示すおもり４０は、図２に示したおもり２０において、両端の凸部２３ａ、２３ｂを形成する替わりに、両端を長くするとともに切欠部４２を形成した例である。この切欠部４２には、積み込んだときに縦枠１６、１７がそれぞれ嵌合するようになっている。
【００２５】
このおもり４０では、全体としておもりの長さを長くして積みやすくすることができ、より安全になるとともに、おもりの重量も稼ぐことができる。
【００２６】
第２実施形態  
次に、本発明の第２実施形態による釣り合いおもりについて、図５を参照して説明する。なお、第１実施形態の図１と同一の構成要素には同一の参照番号を付してその詳細な説明は省略する。  
この第２実施形態は、１個の横長のおもり５０を、例えば、図６に示すように３個のブロック５０ａ、５０ｂ、５０ｃに分割して構成した実施形態である。
【００２７】
それぞれのブロック５０ａ、５０ｂ、５０ｃでは、例えば、真ん中のブロック５０ｂの左右側面には、溝５１、５２を形成し、端のブロック５０ａの側面に溝５１に嵌合する凸部５３を形成し、同じく端のブロック５０ｃの側面５２に嵌合する凸部５４を形成するというように、凹凸同士を嵌め合わせることで、全体として一つの横長のおもり５０に組み合わせることができる。
【００２８】
なお、各ブロック５０ａ、５０ｂ、５０ｃでは、図７（ａ）に示すように、ねじ穴５６に取手５５をねじ込むことで、取手５５を着脱可能に取り付けることができるようになっている。
【００２９】
釣り合いおもり１０の枠におもり５０を積み込むときには、各ブロック５０ａ、５０ｂ、５０ｃに取手５５を付けておき、取手５５を把持してブロックごとに積み込み、図６に示すように、一つのおもりに組み合わせればよい。おもり５０を積み上げるときに取手５５は邪魔になるので、積み込んだ後は取手５５を取り外すことになる。
【００３０】
このように、ひとつの横長のおもり５０をブロック５０ａ、５０ｂ、５０ｃに分割することで、ブロック単位で取り扱えることになり、安全に積み込み作業を行うことで可能になり、総重量も低下することはない。
【００３１】
次に、図７（ｂ）は、おもりの他の実施例を示す。この図７（ｂ）に示すおもり５０では、各ブロック５０ａ、５０ｂ、５０ｃに取手としてのハンドル５７が一体に設けられている。この場合、各ブロック５０ａ、５０ｂ、５０ｃでは、上面にくぼみ５８を形成しておき、このくぼみ５８を横断するようにハンドル５７が固定されている。このようにハンドル５７を取り付けておけば、積み上げる際にハンドルが邪魔になることがなくなる。
【００３２】
なお、以上の例は、一つのおもりを３分割のブロックから構成した例であるが、これに限定されるものではなく、４分割、５分割であってもよい。  
また、各ブロックは、鋳物で構成してもよいし、また、第１実施形態のように鉄枠にコンクリートを充填して成形してもよい。
【００３３】
第３実施形態  
図８は、本発明の第３実施形態による釣り合いおもりを示す。
【００３４】
この第３実施形態では、釣り合いおもり１０の枠構造に、中間縦枠５９が付加されている。この中間縦枠５９は、縦枠１６、１７の中間に平行に配置されている。縦枠１６、１７がコ字形の断面を有しているのに対して、中間縦枠５９には、断面Ｈ形の形材が用いられている。
【００３５】
このように中間縦枠５９を設けたことによって、小型のおもり６０を２列並列に積み上げることができるようになっている。この場合、おもり６０は、通常の横長のおもりを長さ半分にしたものである。
【００３６】
以上のように構成される釣り合いおもり１０によれば、通常の横長のおもりに較べてひとつあたりのおもり６０の重量は半分になるため、取り扱いが楽になり、また指を挟んでけがをすることもなくなり、安全に積み込み作業を行うことが可能になる。しかも、全体としてのおもり総重量は変わらないため、総重量の維持と安全性の両立を実現することができる。
【００３７】
なお、おもり６０については、一つ一つの厚さをより薄くするようにしてもよい。そうすれば、おもり６０のひとつあたりの重量はより軽くなるので、積む枚数は増えるが、積み込み作業はおもり６０の軽量化によりさらに安全になる。
【００３８】
第４実施形態  
次に、本発明の第４実施形態による釣り合いおもりについて、図９、図１０を参照して説明する。
【００３９】
この第４実施形態は、積載するおもりの数を増やした第３実施形態とは反対に、おもりを大型化して、数個、３〜５、６個のおもりで総重量を担うようにした実施形態である。
【００４０】
図９に示すように、３個の縦長のおもり６２が横方向に並べて釣り合いおもり１０に搭載されている。３個のおもり６２は、連結部材６３によって縦枠１６、１７に固定されている。この例では、おもり総重量が、例えば、３００ｋｇであれば、一個のおもり６２は１００ｋｇになる。なお、図１０は、おもり６２を上下に３個並べた実施形態である。
【００４１】
以上のように構成される釣り合いおもりによれば、１個のおもり６２の重量は人が手作業で積むには重すぎるため、クレーンを使って積み込むことになる。これにより、手作業に伴う危険性、例えば、おもりを積み上げるときに指を挟むなどの危険性を間接的ながら回避することができる。
【００４２】
本実施形態では、おもり６２の１個あたりの重量は、人手で運べない程度の重量で、かつ、数個で総重量をまかなえられるだけの重量、具体的には、５０〜２００ｋｇである。
【符号の説明】
【００４３】
１０…釣り合いおもり、１１ａ、１１ｂ…ガイドレール、１２…吊りロープ、１４…上枠、１５…下枠、１６…縦枠、１７…縦枠、２０…おもり、２１…鉄枠、２２…コンクリート、２４…凹部、３０…おもり、４０…おもり、５０…おもり、５９…中間縦枠
【図１】
2011037582.tif 000003
【図２】
2011037582.tif 000004
【図３】
2011037582.tif 000005
【図４】
2011037582.tif 000006
【図５】
2011037582.tif 000007
【図６】
2011037582.tif 000008
【図７】
2011037582.tif 000009
【図８】
2011037582.tif 000010
【図９】
2011037582.tif 000011
【図１０】
2011037582.tif 000012
【図１１】
2011037582.tif 000013